(57)【要約】【課題】パスワードを変更する際のセキュリティを向上させることができるゲートウェイ装置、パスワード変更方法及びパスワード変更プログラムを提供する。【解決手段】一実施の形態によれば、ゲートウェイ装置１００は、所定の設定を行う設定画面を表示させるための一時パスワードを生成する一時パスワード生成手段１２、及び、変更前のパスワードから一時パスワードの入力により表示させた設定画面において指定されたパスワードに変更するパスワード変更手段１４、を有するデータ処理装置１を備え、データ処理装置１は、電話機３００と有線接続され、データ処理装置１は、生成された一時パスワードを、電話機３００を介してユーザに送信またはユーザから受信する。【選択図】図１
2020119134.tif 000002
【特許請求の範囲】
【請求項１】
所定の設定を行う設定画面を表示させるための一時パスワードを生成する一時パスワード生成手段、及び、変更前のパスワードから前記一時パスワードの入力により表示させた前記設定画面において指定されたパスワードに変更するパスワード変更手段、を有するデータ処理装置を備え、
前記データ処理装置は、電話機と有線接続され、
前記データ処理装置は、生成された前記一時パスワードを、前記電話機を介してユーザに送信または前記ユーザから受信する、
ゲートウェイ装置。
【請求項２】
特定ダイヤル電話番号を登録された特定ダイヤル情報記憶部をさらに備え、
前記データ処理装置は、前記電話機からの発信をＶｏＩＰ発信するＶｏＩＰ発信手段を有し、
前記ＶｏＩＰ発信手段が前記電話機からの前記特定ダイヤル電話番号への発信を検知した場合には、前記一時パスワード生成手段は、前記一時パスワードを生成する、
請求項１に記載のゲートウェイ装置。
【請求項３】
前記データ処理装置は、前記一時パスワード生成手段により生成された前記一時パスワードを、前記電話機を介して音声により前記ユーザに送信する一時パスワード通知手段を有する、
請求項２に記載のゲートウェイ装置。
【請求項４】
前記データ処理装置は、通信端末と接続され、
前記パスワード変更手段は、前記通信端末の画面に表示させた一時パスワード入力画面への前記一時パスワードの入力により前記設定画面を表示させる、
請求項３に記載のゲートウェイ装置。
【請求項５】
前記データ処理装置は、通信端末と接続され、
前記データ処理装置は、前記通信端末からパスワードの再発行要求を受けた場合に、回答が前記一時パスワードとなる予め登録された質問文を前記通信端末の画面に表示させるパスワード再発行画面表示手段を有する、
請求項１に記載のゲートウェイ装置。
【請求項６】
前記データ処理装置は、前記電話機を介して前記ユーザから受信した前記一時パスワードを認識するダイヤル認識手段を有する、
請求項５に記載のゲートウェイ装置。
【請求項７】
前記ダイヤル認識手段が認識した前記一時パスワードの入力により、前記パスワード変更手段は、前記通信端末の画面に前記設定画面を表示させる、
請求項６に記載のゲートウェイ装置。
【請求項８】
所定の設定を行う設定画面を表示させるための一時パスワードを生成するステップと、
生成された前記一時パスワードを、有線接続された電話機を介してユーザに送信または前記ユーザから受信するステップと、
変更前のパスワードから、前記一時パスワードの入力により表示させた前記設定画面において指定されたパスワードに変更するステップと、
を備えたゲートウェイ装置のパスワード変更方法。
【請求項９】
所定の設定を行う設定画面を表示させるための一時パスワードを生成させ、
生成された前記一時パスワードを、有線接続された電話機を介してユーザに送信または前記ユーザから受信させ、
変更前のパスワードから、前記一時パスワードの入力により表示させた前記設定画面において指定されたパスワードに変更させる、
ことをコンピュータに実行させるゲートウェイ装置のパスワード変更プログラム。
【発明の詳細な説明】
【技術分野】
【０００１】
本発明は、ゲートウェイ装置、パスワード変更方法及びパスワード変更プログラムに関し、例えば、ＶｏＩＰ発信を行う家庭用ゲートウェイ装置における設定画面へのパスワードを変更することができるゲートウェイ装置、パスワード変更方法及びパスワード変更プログラムに関する。
【背景技術】
【０００２】
Ｖｏｉｃｅ  ｏｖｅｒ  Ｉｎｔｅｒｎｅｔ  Ｐｒｏｔｏｃｏｌ（以下、ＶｏＩＰと記載する。）機能を搭載した家庭用ゲートウェイ装置（Ｈｏｍｅ  Ｇａｔｅｗａｙ、以下、ＨＧＷと記載する。）を利用するユーザの中には、ＨＧＷ導入時の初期設定から長い間設定画面にログインしない者がいる。そのようなユーザは、例えば、ＨＧＷの設定を変更する必要が生じた場合に、初期設定で設定したパスワードを忘れている場合がある。
【先行技術文献】
【特許文献】
【０００３】
【特許文献１】特開２００１−２３６３１８号公報
【特許文献２】特開２０１０−０４４６５４号公報
【特許文献３】特開２０１０−２０４９０３号公報
【発明の概要】
【発明が解決しようとする課題】
【０００４】
初期設定で設定したパスワードを忘れた場合の対策の一つとして、インターネット接続設定及びパスワードを含むすべてのＨＧＷの設定を、工場出荷時の設定に初期化して、パスワードを再設定するという方法がある。その場合には、設定画面にログインができないため、初期化ボタンにより初期化を行う必要がある。
【０００５】
また、パスワードのみを初期化するという方法も考えられる。しかしながら、パスワードを容易に初期化する方法を設けてしまうと、ＨＧＷにアクセス可能な管理者以外の一般ユーザでも、簡単にパスワードを初期化することができるようになる。そして、ＨＧＷまたはＨＧＷに設定されているインターネット接続設定を悪用されてしまう場合が考えられる。このため、パスワードの初期化は、特に、外部の第三者が簡単に行うことができないようにする必要がある。よって、パスワードのみの初期化を設けていないＨＧＷが多いのが実状である。
【０００６】
本開示の目的は、上述した課題を鑑み、パスワードを変更する際のセキュリティを向上させることができるゲートウェイ装置、パスワード変更方法及びパスワード変更プログラムを提供することにある。
【課題を解決するための手段】
【０００７】
一実施の形態に係るゲートウェイ装置は、所定の設定を行う設定画面を表示させるための一時パスワードを生成する一時パスワード生成手段、及び、変更前のパスワードから前記一時パスワードの入力により表示させた前記設定画面において指定されたパスワードに変更するパスワード変更手段、を有するデータ処理装置を備え、前記データ処理装置は、電話機と有線接続され、前記データ処理装置は、生成された前記一時パスワードを、前記電話機を介してユーザに送信または前記ユーザから受信する。
【０００８】
また、一実施の形態に係るパスワード変更方法は、所定の設定を行う設定画面を表示させるための一時パスワードを生成するステップと、生成された前記一時パスワードを、有線接続された電話機を介してユーザに送信または前記ユーザから受信するステップと、変更前のパスワードから、前記一時パスワードの入力により表示させた前記設定画面において指定されたパスワードに変更するステップと、を備える。
【０００９】
さらに、一実施の形態に係るパスワード変更プログラムは、所定の設定を行う設定画面を表示させるための一時パスワードを生成させ、生成された前記一時パスワードを、有線接続された電話機を介してユーザに送信または前記ユーザから受信させ、変更前のパスワードから、前記一時パスワードの入力により表示させた前記設定画面において指定されたパスワードに変更させる、ことをコンピュータに実行させる。
【発明の効果】
【００１０】
一実施の形態によれば、パスワードを変更する際のセキュリティを向上させることができるゲートウェイ装置、パスワード変更方法及びパスワード変更プログラムを提供することができる。
【図面の簡単な説明】
【００１１】
【図１】実施形態１に係るゲートウェイ装置並びにゲートウェイ装置に接続された電話機及び通信端末を例示した構成図である。
【図２】実施形態１に係るゲートウェイ装置並びにゲートウェイ装置に接続された電話機及び通信端末の動作を例示したフローチャート図である。
【図３】実施形態１に係るゲートウェイ装置の特定ダイヤル情報記憶部に記憶された特定ダイヤルを例示した図である。
【図４】実施形態２に係るゲートウェイ装置並びにゲートウェイ装置に接続された電話機及び通信端末を例示した構成図である。
【図５】実施形態２に係るゲートウェイ装置並びにゲートウェイ装置に接続された電話機及び通信端末の動作を例示したフローチャート図である。
【図６】実施形態２に係るゲートウェイ装置の一時パスワード発行情報記憶部に記憶された質問文及び一時パスワードとなる回答を例示した図である。
【発明を実施するための形態】
【００１２】
（実施形態１）
実施形態１に係るゲートウェイ装置を説明する。ゲートウェイ装置は、例えば、家庭用のゲートウェイ装置である。以下、ゲートウェイ装置を、ＨＧＷとして説明する。図１は、実施形態１に係るＨＧＷ並びにＨＧＷに接続された電話機及び通信端末を例示した構成図である。
【００１３】
図１に示すように、ＨＧＷ１００は、データ処理装置１と、記憶装置２と、を備えている。データ処理装置１は、ＶｏＩＰ発信手段１１、一時パスワード生成手段１２、一時パスワード通知手段１３、パスワード変更手段１４を有している。記憶装置２は、特定ダイヤル情報記憶部２１と、パスワード情報記憶部２２と、を有している。ＨＧＷ１００のデータ処理装置１は、電話機３００と有線接続されている。また、データ処理装置１は、通信端末４００と有線または無線により接続されている。
【００１４】
電話機３００は、データ処理装置３を備えている。データ処理装置３は、ダイヤル手段３１及び音声通信手段３２を有している。通信端末４００は、データ処理装置４を備えている。データ処理装置４は、ＨＧＷ設定手段４１を有している。データ処理装置１、データ処理装置３、データ処理装置４は、例えば、マイコンである。記憶装置２は、例えば、メモリである。
【００１５】
ＶｏＩＰ発信手段１１は、電話機３００のダイヤル手段３１と有線接続されている。ユーザは、ＶｏＩＰ発信手段１１に有線接続した電話機３００から発信を行う。ＶｏＩＰ発信手段１１は、電話機３００からの発信をＶｏＩＰ発信する。また、ＶｏＩＰ発信手段１１は、一時パスワード生成手段１２と接続されている。ＶｏＩＰ発信手段１１は、電話機３００からの特定ダイヤル電話番号への発信を検知した場合には、一時パスワード生成手段１２に通知する。
【００１６】
一時パスワード生成手段１２は、ＶｏＩＰ発信手段１１、一時パスワード通知手段１３、並びに、記憶装置２における特定ダイヤル情報記憶部２１及びパスワード情報記憶部２２に接続されている。一時パスワード生成手段１２は、所定の設定を行う設定画面を表示させるための一時パスワードを生成する。例えば、一時パスワードは、設定画面にログインするためのものであり、一時パスワード入力画面に一時パスワードを入力させることにより、設定画面にログインすることができる。
【００１７】
一時パスワード生成手段１２は、ＶｏＩＰ発信手段１１が電話機３００からの特定ダイヤル電話番号への発信を検知した場合に、一時パスワードを生成する。特定ダイヤル電話番号は、パスワード初期化を意味する電話番号である。一時パスワード生成手段１２が生成した一時パスワードは、パスワード情報記憶部２２に記憶される。また、一時パスワード生成手段１２は、一時パスワードを生成したことを、一時パスワード通知手段１３に通知する。
【００１８】
一時パスワード通知手段１３は、一時パスワード生成手段１２、パスワード変更手段１４及びパスワード情報記憶部２２と接続されている。また、一時パスワード通知手段１３は、音声通話手段３２と有線接続されている。一時パスワード通知手段１３は、パスワード情報記憶部２２を参照し、一時パスワード生成手段１２により生成された一時パスワードをユーザに通知する。例えば、一時パスワード通知手段１３は、一時パスワード生成手段１２により生成された一時パスワードを、電話機３００を介して音声によりユーザに送信する。このように、データ処理装置１における一時パスワード通知手段１３は、生成された一時パスワードを、電話機３００を介してユーザに送信する。
【００１９】
パスワード変更手段１４は、一時パスワード通知手段１３、パスワード情報記憶部２２及びＨＧＷ設定手段４１と接続されている。パスワード変更手段１４は、例えば、通信端末４００の画面に表示させた一時パスワード入力画面への一時パスワードの入力により設定画面を表示させる。具体的には、通信端末４００の画面に表示されたＨＧＷ設定手段４１に一時パスワードが入力されると、ＨＧＷ１００の所定の設定画面はログイン可能な状態となる。ユーザは、一時パスワードの入力によりログインされた設定画面から、指定するパスワードに変更することができる。パスワード変更手段１４は、変更前のパスワードから、一時パスワードの入力により表示させた、設定画面において指定されたパスワードに変更する。こうして、パスワード変更手段１４は、初期設定時にユーザによって設定されていたパスワードを、新しいパスワードに変更する。
【００２０】
特定ダイヤル情報記憶部２１は、特定ダイヤル電話番号を登録されている。特定ダイヤル情報記憶部２１には、初期化や再起動、パスワード初期化等が特定ダイヤルとして定義されている。特定ダイヤル情報記憶部２１は、一時パスワード生成手段１２に接続されている。特定ダイヤル情報記憶部２１は、記憶された特定ダイヤル電話番号を一時パスワード生成手段１２に出力する。
【００２１】
パスワード情報記憶部２２は、ＨＧＷ１００の設定画面におけるパスワードを記憶している。パスワード情報記憶部２２は、一時パスワード生成手段１２、一時パスワード通知手段１３及びパスワード変更手段１４と接続されている。パスワード情報記憶部２２は、一時パスワード生成手段１２から発行された一時パスワードを受信し、記憶する。また、パスワード情報記憶部２２は、受信した一時パスワードを一時パスワード通知手段１３に出力する。さらに、パスワード情報記憶部２２は、変更前のパスワードを、パスワード変更手段１４により変更された新しいパスワードに変更する。
【００２２】
ダイヤル手段３１は、ＶｏＩＰ発信手段１１に有線接続されている。ダイヤル手段３１は、ユーザが電話機３００に入力したダイヤル電話信号をＶｏＩＰ発信手段１１に送信する。
【００２３】
音声通信手段３２は、一時パスワード通知手段１３に接続されている。音声通話手段３２を用いて、ユーザは、ＶｏＩＰ通話が確立した相手方とＨＧＷ１００を介して、音声通信を行う。
【００２４】
ＨＧＷ設定手段４１は、パスワード変更手段１４と接続されている。ＨＧＷ設定手段４１は、通信端末４００のブラウザ等を通じてＨＧＷ１００の設定画面を表示させる。
【００２５】
次に、本実施形態のＨＧＷ１００並びにＨＧＷ１００に接続した電話機３００及び通信端末４００の動作を説明する。図２は、実施形態１に係るＨＧＷ並びにＨＧＷに接続された電話機及び通信端末の動作を例示したフローチャート図である。
【００２６】
図２のステップＡ１に示すように、始めに、ユーザは、ＨＧＷ１００に接続されている電話機３００で発信する。例えば、ユーザは、ダイヤル手段３１を操作することにより、電話機３００で発信する。ＶｏＩＰ発信手段１１は、電話機３００からの発信を受信する。
【００２７】
次に、ステップＡ２に示すように、例えば、ＶｏＩＰ発信手段１１は、ステップＡ１において発信された電話番号が、ＨＧＷ１００に有線接続されたアナログの電話機３００からの発信か判別を行う。ステップＡ２において、ＨＧＷ１００に有線接続された電話機３００ではなく、スマートホンなど無線で接続された電話機からの発信の場合は、処理を終了し、ステップＡ８に示すように、通常の発信を行う。すなわち、ユーザが指定した電話番号にＶｏＩＰ発信を行う。
【００２８】
ステップＡ２において、ＨＧＷ１００に有線接続された電話機３００からの発信の場合には、ステップＡ３に示すように、発信した電話番号が特定ダイヤル情報記憶部２１に登録されている特定ダイヤル電話番号への発信か判別を行う。ステップＡ３において、発信した電話番号が特定ダイヤル電話番号ではない場合は、ステップＡ８に示すように、通常の発信を行う。すなわち、ユーザが指定した電話番号にＶｏＩＰ発信を行う。
【００２９】
ステップＡ３において、発信した電話番号が特定ダイヤル情報記憶部２１に登録されている特定ダイヤル電話番号で、かつ、パスワード初期化に該当する場合には、ステップＡ４に示すように、一時パスワード生成手段１２は、一時パスワードを生成する。一時パスワードは、ＨＧＷ１００の設定画面に、一時的にログインするためのものである。そして、一時パスワード生成手段１２は、生成した一時パスワードを、パスワード情報記憶部２２に保存する。
【００３０】
次に、ステップＡ５に示すように、一時パスワード通知手段１３は、パスワード情報記憶部２２を参照し、一時パスワードを電話機３００の音声によりユーザに送信する。音声通信手段３２により音声通信を受信した電話機３００は、ユーザに対して、一時パスワードのアナウンスを行う。
【００３１】
次に、ステップＡ６に示すように、一時パスワードを送信されたユーザは、一時パスワードを用いて、ＨＧＷ１００の設定画面にログインする。例えば、ＨＧＷ設定手段４１により、通信端末４００の画面に表示させた一時パスワード入力画面に一時パスワードを入力して、設定画面にログインする。
【００３２】
次に、ステップＡ７に示すように、ユーザは、ログインさせたＨＧＷ１００の設定画面でパスワードを変更する。パスワード変更手段１４は、一時パスワードの入力によりログインされた設定画面から、指定されたパスワードに変更する。このようにして、ＨＧＷ１００の設定画面においてパスワードを変更することができる。
【００３３】
次に、具体例を用いて本実施形態の動作について詳細に説明する。図３は、実施形態１に係るＨＧＷ１００の特定ダイヤル情報記憶部２１に記憶された特定ダイヤルを例示した図である。図３に示すように、ダイヤルが「＊＃＃００００１＊」の場合には、装置初期化を示す。ダイヤルが「＊＃＃００００２＊」の場合には、再起動を示す。ダイヤルが「＊＃＃００００３＊」の場合には、Ｆｉｒｍｗａｒｅ更新を示す。ダイヤルが「＊＃＃００００４」の場合には、パスワード初期化を示す。
【００３４】
始めに、ユーザは、例えば、ＨＧＷ１００に対して、ＲＪ−１１の電話用６極モジュラージャックで有線接続された電話機３００を操作する。そして、ダイヤル手段３１によりＶｏＩＰ発信手段１１を介した発信を行う（図２のステップＡ１に相当）。本具体例では「＊＃＃００００４＊」に発信したものとする。
【００３５】
次に、データ処理装置１において、例えば、ＶｏＩＰ発信手段１１は、図２のステップＡ１において発信したダイヤルがＨＧＷ１００に有線接続されたアナログの電話機３００からの発信か判別を行う（図２のステップＡ２に相当）。アナログの電話機３００かどうかの判別は、例えば、ＲＪ−１１の電話用６極モジュラージャックで接続された電話機３００からの発信か否かで判別を行う。
【００３６】
ステップＡ２において、本具体例では、ＨＧＷ１００に有線接続された電話機３００から発信している。このため、次のステップとして、発信された電話番号が特定ダイヤル情報記憶部２１に登録されている特定ダイヤル電話番号かどうか判別を行う（図２のステップＡ３に相当）。
【００３７】
ステップＡ３において、本具体例では、発信した電話番号が「＊＃＃００００４」であり、特定ダイヤル情報記憶部２１の「パスワード初期化」に該当する。このため、一時パスワード生成手段１２は、ＨＧＷ１００の設定画面にログインするための一時パスワードを生成する。そして、一時パスワード生成手段１２は、生成した一時パスワードをパスワード情報記憶部２２に保存する（図２のステップＡ４に相当）。
【００３８】
一時パスワードは、ランダムに生成されるものとし、本具体例では、「５９６７２１」が生成されたものとする。一時パスワードは、初期設定時のパスワードとは別に管理される。一時パスワードは、有効期限を有するものとし、本具体例では、有効期限を３０分とする。有効期限を超過した場合には、一時パスワードは、パスワード情報記憶部２２から削除されるものとする。
【００３９】
次に、一時パスワード通知手段１３は、パスワード情報記憶部２２を参照し、ユーザに対して一時パスワードの通知を行う。音声通信手段３２により音声通信を受けた電話機３００は、ユーザに対して、一時パスワードのアナウンスを行う（図２のステップＡ５に相当）。
【００４０】
電話機３００の音声により、一時パスワードの通知を受けたユーザは、ＨＧＷ１００の設定画面に一時パスワードを用いて、ログインする（図２のステップＡ６に相当）。ログインを行う際には、ユーザは、例えば、パーソナルコンピュータ及びスマートホン等の通信端末４００のブラウザを使用する。そして、ユーザは、通信端末４００のＨＧＷ設定手段４１により表示された一時パスワード入力画面に一時パスワードを入力し、設定画面にログインする。
【００４１】
一時パスワードを用いて、ユーザが設定画面にログインされた場合には、例えば、パスワード変更手段１４は、通信端末４００の画面にパスワード変更画面を表示させる。そして、パスワード変更手段１４は、パスワード変更画面において、ユーザに新規パスワードの登録を促すものとする。ユーザは、パスワード変更画面に新規パスワードを入力する。そうすると、パスワード変更手段１４は、指定されたパスワードへの変更を行う（図２のステップＡ７に相当）。
【００４２】
このとき、変更前のパスワードは、削除される。そして、新規登録されたパスワードは、上書きされる。また、パスワードが変更された際に、一時パスワードの削除を行う。本具体例での場合には、一時パスワードをランダム数字で生成するようにしている。しかしながら、装置毎に異なる一時パスワードをあらかじめ生成しておき、ＨＧＷ１００本体のラベルに張って提示するなどの手段で実現してもよい。
【００４３】
本具体例によって、ユーザがＨＧＷ１００の設定に必要なパスワードを忘れた場合において、ＨＧＷ１００に有線接続された電話機３００からの操作のみで、一時パスワードを生成する。そして、一時パスワードを用いて、ＨＧＷ１００の設定画面への一時的なログイン及びパスワード変更が可能となる。また、有線接続された電話機３００でのみ操作を可能としている。このため、無線やインターネットを通じて遠隔で意図しないパスワードの初期化が行われるリスクを低減することができる。また、宅内の機器による操作で、よりセキュリティの高い方法でパスワードを変更することができる。
【００４４】
次に、本実施形態の効果を説明する。本実施形態の第１の効果は、ＨＧＷ１００の設定パスワードの変更方法におけるセキュリティの向上である。近年、無線の通信端末等がＨＧＷ１００及びインターネットに接続する場合が多い。ＨＧＷ１００の設定パスワードの変更を簡単に許してしまうと、インターネットや宅外からの遠隔アクセスにより、管理者以外のユーザにパスワードを勝手に変更されてしまうリスクがある。しかしながら、本実施形態においては、ＨＧＷ１００に有線接続した電話機３００からの操作でのみ、パスワードの変更を許可している。このため、宅内での操作でのみパスワードの変更を許可することが可能となり、パスワードを変更する際のセキュリティを向上させることができる。
【００４５】
また、本実施形態の第２の効果は、パスワード変更の手順の簡易化である。本実施形態においては、パスワードを忘れたユーザが、パスワードのみの初期化が可能になる。このため、ＨＧＷ１００の接続設定を含むすべての設定の初期化を行う必要がない。よって、ユーザが複雑な初期設定をやり直す等のユーザの負荷を軽減することができる。また、電話窓口の遠隔サポート等からパスワード解析などを行うことなく、ユーザ自身で自己解決が容易となる。このため、パスワード忘れにより電話窓口の問合せを軽減することもできる。
【００４６】
（実施形態２）
次に、実施形態２に係るＨＧＷを説明する。図４は、実施形態２に係るＨＧＷ並びにＨＧＷに接続された電話機及び通信端末を例示した構成図である。本実施形態のＨＧＷ２００は、データ処理装置１ａ及び記憶装置２ａの構成がＨＧＷ１００と異なっている。また、電話機３００のデータ処理装置３は、音声通信手段３２を用いていない。
【００４７】
図４に示すように、ＨＧＷ２００は、電話機３００及び通信端末４００と接続されている。ＨＧＷ２００は、データ処理装置１ａと、記憶装置２ａと、を備えている。データ処理装置１ａは、パスワード再発行画面表示手段１５、一時パスワード生成手段１６、ダイヤル認識手段１７、パスワード変更手段１８を有している。
【００４８】
記憶装置２ａは、一時パスワード発行情報記憶部２３と、パスワード情報記憶部２２と、を有している。電話機３００は、データ処理装置３を備えている。データ処理装置３は、ダイヤル手段３１を含んでいる。通信端末４００は、データ処理装置４を備えている。データ処理装置４は、ＨＧＷ設定手段４１を含んでいる。データ処理装置１ａ、データ処理装置３、データ処理装置４は、例えば、マイコンである。記憶装置２ａは、例えば、メモリである。
【００４９】
パスワード再発行画面表示手段１５は、一時パスワード生成手段１６、一時パスワード発行情報記憶部２３及びＨＧＷ設定手段４１に接続されている。パスワード再発行画面表示手段１５は、ユーザがＨＧＷ２００に接続したパーソナルコンピュータまたはスマートホン等の通信端末４００のブラウザ上にパスワード再発行画面を表示させる。例えば、パスワード再発行画面表示手段１５は、ＨＧＷ２００に接続された通信端末４００から特定のＵｎｉｆｏｒｍ  Ｒｅｓｏｕｒｃｅ  Ｌｏｃａｔｏｒ（以降、ＵＲＬという。）にアクセスされた場合に、パスワード再発行画面を表示させる。そして、パスワード再発行画面表示手段１５は、通信端末４００からパスワードの再発行要求を受けた場合に、回答が一時パスワードとなる予め登録された質問文を通信端末４００の画面に表示させる。
【００５０】
一時パスワード生成手段１６は、パスワード再発行画面表示手段１５、ダイヤル認識手段１７、一時パスワード発行情報記憶部２３及びＨＧＷ設定手段４１に接続されている。一時パスワード生成手段１６は、ユーザがパスワード再発行画面でパスワードの再発行を選択した場合に、一時パスワード発行情報記憶部２３を参照する。そして、一時パスワード生成手段１６は、所定の設定を行う設定画面にログインするための一時パスワードを生成する。一時パスワード生成手段１６は、生成した一時パスワードを、ダイヤル認識手段１７に通知する。
【００５１】
ダイヤル認識手段１７は、一時パスワード生成手段１６及びパスワード変更手段１８に接続されている。また、ダイヤル認識手段１７は、ダイヤル手段３１に有線接続されている。ダイヤル認識手段１７は、有線接続された電話機３００を介してユーザから受信した一時パスワードを認識する。具体的には、ダイヤル認識手段１７は、ユーザが質問文の回答としてダイヤルした番号と、一時パスワード生成手段１６から通知された一時パスワードとが一致するか認証する。このように、本実施形態では、データ処理装置１ａは、生成された一時パスワードを、電話機３００を介してユーザから受信する。ユーザが質問文の回答としてダイヤルした番号と、一時パスワードとが一致した場合には、ダイヤル認識手段１７は、認識した一時パスワードをパスワード変更手段１８に通知する。
【００５２】
パスワード変更手段１８は、ダイヤル認識手段１７、パスワード情報記憶部２２及びＨＧＷ設定手段４１に接続されている。パスワード変更手段１８は、ダイヤル認識手段１７が認識した一時パスワードの入力により、通信端末４００の画面に設定画面を表示させる。そして、パスワード変更手段１４は、変更前のパスワードから、一時パスワードの入力により表示させた設定画面において、ユーザにより指定されたパスワードに変更する。
【００５３】
一時パスワード発行情報記憶部２３は、パスワード再発行画面表示手段１５及び一時パスワード生成手段１６に接続されている。一時パスワード発行情報記憶部２３は、ＨＧＷ２００の設定画面におけるパスワードの再発行に必要な質問文及び質問文の回答である一時パスワードの情報を記憶している。
【００５４】
パスワード情報記憶部２２は、ＨＧＷ２００の設定画面におけるパスワードを記憶している。パスワード情報記憶部２２は、パスワード変更手段１８と接続されている。
【００５５】
ＨＧＷ設定手段４１は、パスワード再発行画面表示手段１５、一時パスワード生成手段１６及びパスワード変更手段１８と接続されている。ＨＧＷ設定手段４１は、通信端末４００のブラウザ等を通じてＨＧＷ２００の設定を行う。
【００５６】
次に、本実施形態のＨＧＷ２００並びにＨＧＷ２００に接続した電話機３００及び通信端末４００の動作を説明する。図５は、実施形態２に係るＨＧＷ並びにＨＧＷに接続された電話機及び通信端末の動作を例示したフローチャート図である。
【００５７】
前提として、ユーザは、ＨＧＷ２００の初期導入時に、設定画面のパスワードを登録する際に、パスワードを忘れた場合の質問文及び質問文の回答である一時パスワードを決定しておく。質問文における回答を、例えば、数字のみで構成する。データ処理装置１ａは、設定画面のパスワードを、パスワード情報記憶部２２に記憶させる。また、データ処理装置１ａは、パスワードを忘れた場合の質問文及び一時パスワードとなる質問文の回答を、一時パスワード発行情報記憶部２３に記憶させる。一時パスワードは、初期設定のパスワードと別管理とする。一時パスワードは設定画面で指定しても使用できないものとする。
【００５８】
ユーザがＨＧＷ２００の設定画面のパスワードを忘れた場合において、パスワードを再発行する場合を想定する。図５のステップＢ１に示すように、ユーザは、ＨＧＷ２００に接続したパーソナルコンピュータ及びスマートホン等の通信端末４００のブラウザから、ＨＧＷ設定手段４１により、例えば、下記のような特定のＵＲＬにアクセスしたものとする。
【００５９】
ＵＲＬ例：http://192.168.0.1/adm/system/password_reset.cgi
【００６０】
ＨＧＷ２００におけるデータ処理装置１ａは、特定のＵＲＬにアクセスされた場合に、パスワード再発行画面表示手段１５により、通信端末４００の画面上に、パスワード再発行画面を表示させる。ユーザは、通信端末４００のブラウザに表示されたパスワード再発行画面上からパスワード再発行を選択する。本実施形態では、通信端末４００は、有線のＲＪ４５モジューラーコネクタにより接続されているものとするが、無線で接続された通信端末４００からもパスワード再発行を行うことを許容するものとする。
【００６１】
ステップＢ１において、ユーザからパスワード再発行を受けた場合に、パスワード再発行画面表示手段１５は、一時パスワード発行情報記憶部２３を参照する。そして、パスワード再発行画面表示手段１５は、一時パスワード生成手段１２に、一時パスワードを送信する。この時、データ処理装置１ａは、パスワード再発行状態に移行させ、通常のＶｏＩＰ機能を停止させるものとする。パスワード再発行状態は、パスワード再発行画面上において、中止またはパスワード再発行が完了した場合、または、一定時間経過後にパスワード再発行状態を解除する。そして、通常のＶｏＩＰ機能を再開するものとする。なお、一定時間の経過は、例えば、１０分である。
【００６２】
図６は、実施形態２に係る一時パスワード発行情報記憶部２３に記憶された質問文及び一時パスワードとなる回答を例示した図である。図６に示すように、本実施形態において、質問文は、パスワード変更の可否を判定するための本人確認を行うものとする。よって、初期設定時にユーザが忘れないような質問文及び回答を登録する。回答は、数字のみで構成されている。回答が一時パスワードとなるようにしている。質問文Ｎｏ．１は、固定の質問文である。Ｎｏ．２以降は、ユーザが任意で登録した質問文である。本実施形態では、図６に示すように、Ｎｏ．１及びＮｏ．２が登録されているものとする。
【００６３】
ステップＢ２に示すように、パスワード再発行画面表示手段１５は、一時パスワード発行情報記憶部２３を参照する。そして、パスワード再発行画面表示手段１５は、初めに、Ｎｏ．１の質問文を通信端末４００のブラウザのパスワード再発行画面上に表示させる。パスワード再発行画面において、ユーザに対して、電話機３００から、回答の電話番号にダイヤルするように促すものとする。
【００６４】
本実施形態では、Ｎｏ．１の質問文の「あなたの生年月日は？年(西暦)月日、例：19800101)」を、通信端末４００のＨＧＷ設定手段４１により、パスワード再発行画面上に表示する。本実施形態では、パスワードの初期化が管理者以外の第３者に容易に行われるのを防ぐために、質問文による質問及び回答を行っている。これにより、本人確認を行うことができる。なお、質問文及び回答のやり取りは必須ではない。例えば、パスワードの初期化要求があった場合に、本人確認の判定なしに、生成した一時パスワードをパスワード再発行画面に表示する方法でもよいし、装置毎に異なる一時パスワードをあらかじめ発行しておき、ＨＧＷ本体のラベルに張って提示する方法でもよい。
【００６５】
次に、ステップＢ３に示すように、ユーザは、ステップＢ２において、パスワード再発行画面上に表示された「Ｎ０．１」の質問文に対しての回答の電話番号に、電話機３００からダイヤルする。本実施形態では、ユーザの生年月日の「１９７１０５２０」をダイヤルしたものとする。
【００６６】
次に、ステップＢ４に示すように、例えば、ダイヤル認識手段１７は、ステップＢ３において発信された電話機３００が、ＨＧＷ２００と有線接続された電話機３００か否か判定を行う。ステップＢ４において、ＨＧＷ２００と無線接続されたスマートホン等の通信端末４００からの発信の場合には、処理を終了する。そして、パスワード再発行状態を解除し、通常のＶｏＩＰ機能を再開するものとする。
【００６７】
一方、ステップＢ４において、ＨＧＷ２００と有線接続された電話機３００から発信されている場合には、ステップＢ５に示すように、ダイヤル認識手段１７は、ダイヤルされた電話番号が一時パスワード発行情報記憶部２３に登録された回答の一時パスワードと一致するか判定を行う。
【００６８】
ステップＢ５において、ダイヤル認識手段１７が、ダイヤルされた電話番号が一時パスワード発行情報記憶部２３に登録された回答の一時パスワードでないと判定した場合には、処理を終了する。そして、パスワード再発行状態を解除し、通常のＶｏＩＰ機能を再開するものとする。
【００６９】
一方、ステップＢ５において、ダイヤル認識手段１７が、ダイヤルされた電話番号が一時パスワード発行情報記憶部２３に登録された回答の一時パスワードであると判定した場合には、ステップＢ６に示すように、一時パスワード発行情報記憶部２３を参照し、ほかに質問文が登録されているか確認する。
【００７０】
ステップＢ６において、すべての質問文に回答していない、すなわち、一時パスワード発行情報記憶部２３に他の質問文がある場合には、ステップＢ２に進み、ステップＢ２〜ステップＢ６を繰り返す。例えば、本実施形態では、「Ｎｏ．２」の質問文の「あなたの住所の郵便番号は？」が登録されている。このため、再度、「Ｎｏ．２」の質問文をパスワード再発行画面上に表示する。そして、ユーザが一時パスワードと一致する「４３０２３００」をダイヤルしたものとし、「Ｎｏ．２」の質問文に関しても、前述のＢ２〜Ｂ５と同様に処理を行う。
【００７１】
ステップＢ６において、登録されているすべての質問文に回答がされた場合には、本人確認が完了したものとする。
【００７２】
次に、ステップＢ７に示すように、ダイヤル認識手段１７が認識した一時パスワードの入力により、パスワード変更手段１８は、通信端末４００の画面を、パスワード再発行画面から、設定画面におけるパスワード変更画面に遷移させる。そして、ユーザにパスワードの変更を促す。ユーザは、通信端末４００のブラウザを操作し、ＨＧＷ設定手段４１により、パスワードを指定する。そうすると、パスワード変更手段１８は、初期のパスワードを削除し、ユーザに指定された新規のパスワードに変更する。
【００７３】
このようにして、ユーザがＨＧＷ２００の設定に必要なパスワードを忘れた場合において、ユーザにより、ＨＧＷ２００がパスワード再発行要求を受けた場合に、ＨＧＷ２００に有線接続された電話機３００からの操作で、パスワードを変更することができる。
【００７４】
また、有線接続された電話機３００での操作により、パスワード変更のための本人確認を受け付けている。このため、無線やインターネットを通じて遠隔操作のみで第３者からの意図しないパスワードの初期化が行われるリスクを低減することができる。さらに、宅内の機器による操作でより、セキュアなパスワードの変更をすることができる。
【００７５】
なお、本発明は上記実施の形態に限られたものではなく、趣旨を逸脱しない範囲で適宜変更することが可能である。例えば、以下に示すパスワード変更方法をコンピュータに実行させるパスワード変更プログラムも、実施形態１及び２の技術的思想の範囲に含まれる。
【００７６】
すなわち、所定の設定を行う設定画面を表示させるための一時パスワードを生成させ、
生成された前記一時パスワードを、有線接続された電話機を介してユーザに送信または前記ユーザから受信させ、
変更前のパスワードから、前記一時パスワードの入力により表示させた前記設定画面において指定されたパスワードに変更させる、
ことをコンピュータに実行させるゲートウェイ装置のパスワード変更プログラム。
【符号の説明】
【００７７】
１、１ａ、３、４  データ処理装置
２、２ａ  記憶装置
１１  ＶｏＩＰ発信手段
１２  一時パスワード生成手段
１３  一時パスワード通知手段
１４  パスワード変更手段
１５  パスワード再発行画面表示手段
１６  一時パスワード生成手段
１７  ダイヤル認識手段
１８  パスワード変更手段
２１  特定ダイヤル情報記憶部
２２  パスワード情報記憶部
２３  一時パスワード発光情報記憶部
３１  ダイヤル手段
３２  音声通信手段
４１  ＨＧＷ設定手段
１００、２００  ＨＧＷ
３００  電話機
４００  通信端末
【図１】
2020119134.tif 000003
【図２】
2020119134.tif 000004
【図３】
2020119134.tif 000005
【図４】
2020119134.tif 000006
【図５】
2020119134.tif 000007
【図６】
2020119134.tif 000008